(57)【要約】【課題】放電用ガスが充填された放電空間を有し、該放電用ガスに放電を誘起せしめるための一対の電極のうちの少なくとも一方の電極と放電用ガスとの間に、誘電体が介在するように構成された発光管を備え、該発光管の一端から前記一対の電極への一対のリード線が導出されてなるエキシマランプにおいて、該リード線間が接近したり触れ合ったりして放電を発生することを防止した構造を提供することにある。【解決手段】前記ベースから導出した一対のリード線には、該リード線間の間隔を維持するための電気絶縁性のスペーサが設けられていることを特徴とする。【選択図】  図１
2013149548.tif 000002
【特許請求の範囲】
【請求項１】
放電用ガスが充填された放電空間を有し、該放電用ガスに放電を誘起せしめるための一対の電極のうちの少なくとも一方の電極と放電用ガスとの間に、誘電体が介在するように構成された発光管を備え、該発光管の一端から前記一対の電極への一対のリード線が導出されてなるエキシマランプにおいて、
前記一対のリード線には、該リード線間の間隔を維持するための電気絶縁性のスペーサが設けられていることを特徴とするエキシマランプ。
【請求項２】
前記スペーサは、前記リード線を保持する一対の保持部と、該保持部を連結する連結部とからなることを特徴とする請求項１に記載のエキシマランプ。
【請求項３】
前記スペーサの連結部は、側面視において波形形状をなしていることを特徴とする請求項２に記載のエキシマランプ。
【請求項４】
前記発光管の端部にはベースが設けられ、前記リード線は該ベースに設けられたリード線導出孔を貫通して導出されていて、前記一対の保持部の間隔は、前記ベースのリード線導出孔間の間隔以上であることを特徴とする請求項２、３のいずれかに記載のエキシマランプ。
【発明の詳細な説明】
【技術分野】
【０００１】
この発明は、発光管内の放電用ガスをエキシマ発光させるエキシマランプに関し、特に、一対の電極への一対のリード線が発光管の一端から導出されてなるエキシマランプに係わるものである。
【背景技術】
【０００２】
従来、放電用ガスが充填された放電空間を有し、該放電用ガスに放電を誘起せしめるための２つの電極のうちの少なくとも一方の電極と放電用ガスとの間に、誘電体が介在するように構成されたエキシマランプが知られている。
通常、エキシマランプは高圧電流を流して点灯されるため、給電装置からの給電リード線はなるべく短く、簡素化されていることが望ましく、そのため、エキシマランプの電極へのリード線は、発光管の両端からでなく一端側にまとめて設けられていることが多い。またこうすることで、給電のための装置配線も簡素化でき、ランプの設置や交換が容易となる。
その具体例としては、特開２０１０−２３８４７５号公報（特許文献１）、特許第４０４８９９８号公報（特許文献２）等が知られている。
【０００３】
図５に前記特許文献１のエキシマランプの構造が示されていて、この従来技術では、エキシマランプ１０の発光管１１は、全体として扁平角筒状をなし、その上下外面に一対の電極が設けられている。なお、同図においては、上外面の電極１２のみが示されていて、下外面の電極１３は図示されていない。
前記電極１２、１３に接続された一対のリード線１４、１５が、発光管１１の端部に設けられたベース１６の導出孔１７、１８を介して、導出されており、先端の給電端子２０、２１が図示しない給電装置に接続されている。
【０００４】
ところで、このようなエキシマランプでは、装置の振動や、ランプ設置の不備などによってベース１６と給電装置の間でリード線１４、１５が不意に接近したり、触れ合ったりすることが起こり、リード線間で短絡し放電が発生してしまうことがあった。
特に、エキシマランプにおいては、通常は数ｋＶ程度の高電圧を印加して使用されるので、絶縁皮膜が施されたリード線であっても、一対のリード線が互いに近接して、リード線間に十分な空間絶縁距離が保たれないと、該リード線間で放電が発生してしまうという惧れがある。
また、複数のランプを並列配置して使用する場合、各々のランプから導出したリード線は、他のランプから導出したリード線との間にも十分な空間絶縁距離が保たれなければ、別のランプのリード線間で放電が発生してしまうということが起きていた。
【０００５】
各々のリード線間で放電が発生すると、リードが損傷するだけでなく、ランプの点灯に必要な電力がロスし点灯が妨げられるという不具合が発生する。そのため、リード線間には放電を発生しないだけの十分な空間絶縁距離が確保される必要がある。
このためには、ランプからのリード線の間隔を十分に大きく取ることも考えられるが、前記したように、複数のランプを並列配置した場合、隣接するランプ間でも必要な絶縁距離を確保しなければならず、そのため各ランプでのリード線間の離間距離を必要以上に大きくすることができず、現実的な解決策とはならない。
【先行技術文献】
【特許文献】
【０００６】
【特許文献１】特開２０１０−２３８４７５号公報
【特許文献２】特許第４０４８９９８号公報
【発明の概要】
【発明が解決しようとする課題】
【０００７】
この発明は、上記従来技術の問題点に鑑みて、発光管の一端から導出された一対のリード線が接近したり触れ合ったりして絶縁距離が保てずに、該リード線間で放電が発生してしまうことがないようにした構造を提供するものである。
【課題を解決するための手段】
【０００８】
上記課題を解決するために、この発明では、放電用ガスが充填された放電空間を有し、該放電用ガスに放電を誘起せしめるための一対の電極のうちの少なくとも一方の電極と放電用ガスとの間に、誘電体が介在するように構成された発光管を備え、該発光管の一端から前記一対の電極への一対のリード線が導出されてなるエキシマランプにおいて、前記一対のリード線には、間隔を維持するための電気絶縁性のスペーサが設けられていることを特徴とする。
また、前記スペーサは、前記リード線を保持する一対の保持部と、該保持部を連結する連結部とからなることを特徴とする。
また、前記スペーサの連結部は、側面視において波形形状をなしていることを特徴とする。
また、前記発光管の端部にはベースが設けられ、前記リード線は該ベースに設けられたリード線導出孔を貫通して導出されていて、前記一対の保持部の間隔は、前記ベースのリード線導出孔間の間隔以上であることを特徴とする。
【発明の効果】
【０００９】
本発明によれば、発光管の一端から導出されたリード線にはその間隔を維持するためのスペーサが設けられているので、装置の振動等によってもリード線が接近したり、触れ合ったりすることが防止され、リード線間には十分な絶縁距離が保たれて、リード線間の放電を回避することができるものである。
【図面の簡単な説明】
【００１０】
【図１】本発明のエキシマランプの斜視図。
【図２】図１の端部の分解拡大図。
【図３】本発明のスペーサを示し、（Ａ）は斜視図、（Ｂ）は側面図、          （Ｃ）は他の実施例の側面図。
【図４】本発明のスペーサの他の実施例で、（Ａ）は斜視図、（Ｂ）は側面図、          （Ｃ）は更に他の実施例の側面図。
【図５】従来技術の斜視図。
【発明を実施するための形態】
【００１１】
図１は本発明の全体を示す斜視図であり、図２はその端部の分解拡大図である。図１、２に示すように、発光管１１の上外面の電極１２に接続されたリード線１４と、下外面の電極１３に接続されたリード線１５は、ベース１６のリード線貫通孔１７、１８を通して導出されている。なお、図中、電極１２の端部にはいわゆるベタ状の電極１２ａが付設されていて、リード線１４は当該ベタ状電極１２ａに接続されているものが示されているが、勿論、このベタ状電極１２ａは必須のものではなく、これを設けることなく、リード線１４を直接電極１２に接続する構造としてもよい。
そして、該リード線１４、１５は、ベース１６の貫通孔１７、１８を介して外部に導出され、該導出外部において、フッ素樹脂などの電気絶縁性材料からなるスペーサ１が取り付けられている。
【００１２】
このスペーサ１の詳細が図３、図４に示されている。
図３（Ａ）、（Ｂ）に示す絶縁性スペーサ１は、両端部に保持部２、２を有し、これら保持部２、２は平板上の連結部３によって連結されている。
前記保持部２は、側方に開口部２ａを有する円筒状をしており、前記リード線１４、１５はこの開口部２ａを介して保持部２内に挿入保持される。
そして、前記連結部３によって保持部２、２の間隔は、ベース１６のリード線貫通孔１７、１８間の間隔以上とされていて、保持部２、２によって保持されるリード線１４、１５の間隔は、前記貫通孔１７、１８の間隔以上に保たれる。
該貫通孔１７、１８は、もともとリード線１４、１５間で放電しないような間隔に設定されているので、リード線１４、１５がベース１６の外部においてもスペーサ１によってそれ以上の間隔に保たれていれば、放電を起こすことはなくなる。
【００１３】
図３（Ｃ）にスペーサ１の連結部３の別の態様が示されていて、この態様では、連結部３は、側面視で波形形状をなしている。この形状によって弾性がもたらされ、両端の保持部２、２を両側方に押し広げるように力が働き、リード線１４、１５の間隔を広げる方向に作用し、その接近や触れ合いを更に防ぐ方向に機能する。
また、連結部３の表面での沿面放電距離が大きくなって、連結部３の表面を伝わる沿面放電を防止することができる。
なお、この波形形状は、図示のジグザグ状に限らず、円弧状の連続する形状であってもよい。
【００１４】
図４にスペーサ１の別の実施例が示されている。図４（Ａ）、（Ｂ）に示すように、両端の保持部２、２は、円筒形状をしていて、前記リード線１４、１５はこの円筒状保持部２、２内を貫通するように挿入される。
また、図４（Ｃ）に、図４（Ｂ）の別の態様が示され、円筒状保持部２、２が分割構造となっていて、保持部２、２内にリード線１４、１５を挿通した後に、これらをネジ止めなどの固着手段によって一体化するものである。この構造により、リード線１４、１５への装着が容易になる。
勿論、図４に示すこれらも態様においても、図３（Ｃ）のように、連結部３を波形形状としてもよい。
なお、連結部３は、板状のものを示したが、これに限られず、棒状体などであってもよい。
【００１５】
また、上記実施例においては、スペーサ１は１個だけ設けるものを示したが、外部におけるリード線１４、１５の長さに応じて複数個取り付けるようにしてもよい。
また、エキシマランプの構造を扁平角形の発光管で、その外面に一対の電極を設ける構造のものを示したが、ランプ構造としては、これらに限られず、従来技術として示した特許文献２に示すような、二重円筒形状の発光管を有するものであってもよく、要は、一対の電極への一対のリード線が発光管の一端から導出されているものであればよい。
【００１６】
以上説明したように、本発明においては、発光管の一端から導出された一対のリード線に、スペーサを取り付ける構造としたことにより、外部におけるリード線が互いに接近したり、触れ合ったりすることがなく、リード線間での放電を防止できるものである。
【符号の説明】
【００１７】
１          スペーサ
２          保持部
２ａ        側方開口部
３          連結部
１１        発光管
１２、１３  電極
１４、１５  リード線
１６        ベース
１７、１８  リード線貫通孔
【図１】
2013149548.tif 000003
【図２】
2013149548.tif 000004
【図３】
2013149548.tif 000005
【図４】
2013149548.tif 000006
【図５】
2013149548.tif 000007